(57)【特許請求の範囲】
【請求項１】
表示画面を有する表示部と、１または複数のファイルを記憶し、ファイルに基づいて前記表示部を制御する制御部と、前記制御部に記憶されているいずれかのファイルと関連付けられている、前記表示画面に設置可能な設置物であって、文字等の画像を表示可能な文字等画像表示部を有する設置物とを含む表示システムであって、
前記制御部は、
１または複数のファイルを記憶するファイル記憶部と、
ファイルの種類に対応し、対応するファイルを開くアプリケーションを記憶するアプリケーション記憶部と、
前記表示画面に前記設置物が設置された場合に、その設置物に関連付けられているファイルを、そのファイルの種類に対応するアプリケーションによって開く動作を行う開動作部と、
前記文字等画像表示部に、前記設置物に関連付けられているファイルを示す文字等の画像を表示させる文字等画像表示制御部とを含むことを特徴とする表示システム。
【請求項２】
前記制御部は、複数のファイルを記憶しており、その複数のファイルの中には複数種類のファイルが含まれ、
前記設置物は、２種類以上のファイルと関連付けられることが可能であり、
前記開動作部は、
アプリケーションに対応する領域である動作領域を、前記表示画面に表示する領域表示部と、
前記表示画面の、前記動作領域が表示される部分に、前記設置物が設置されたか否かを判断する設置判断部と、
前記表示画面の前記動作領域が表示される部分に前記設置物が設置されたと前記設置判断部が判断した場合に、前記動作領域に対応するアプリケーションと、前記設置物と関連付けられているファイルとが対応しているか否かを判断する対応判断部と、
前記表示画面の前記動作領域が表示される部分に前記設置物が設置されたと前記設置判断部が判断した場合において、前記動作領域に対応するアプリケーションと前記設置物と関連付けられているファイルとが対応していると前記対応判断部が判断したときに、前記動作領域に対応するアプリケーションによって、前記設置物と関連付けられているファイルを開く動作を行う対応ファイル開動作部とを含むことを特徴とする請求項１に記載の表示システム。
【請求項３】
前記領域表示部は、２つ以上のアプリケーションに対応する動作領域を、前記表示画面に表示することを特徴とする請求項２に記載の表示システム。
【請求項４】
前記設置物は、関連付けられているファイルを他のファイルに変更可能であることを特徴とする請求項１〜３のいずれか１つに記載の表示システム。
【請求項５】
前記開動作部は、前記表示画面に前記設置物が複数設置された場合に、各設置物に関連付けられているファイルを、各設置物の設置が行われた順番に開くことを特徴とする請求項１〜４のいずれか１つに記載の表示システム。
【請求項６】
表示部と設置物とを含むコンピュータを、請求項１〜５のいずれか１つに記載の表示システムとして機能させることを特徴とする表示プログラム。
【発明の詳細な説明】
【技術分野】
【０００１】
本発明は、表示システムおよび表示プログラムに関する。
【背景技術】
【０００２】
表示システムの分野では、所定の設置面に所定の設置物が設置されたときに、その設置物に関連付けられたファイルを開く技術が知られている。従来の表示システムにおいては、設置物に関連付けられているファイルを予め知っておかなければ、所望のファイルを開くことができないという課題がある。
【０００３】
この課題を解決するものとして、特許文献１には、ディスプレイの表示画面にパンフレットが載置されたときに、そのパンフレットに関連する画像を表示させる表示システムが記載されている。この表示システムでは、パンフレット自体に文字や絵が記載されているので、その文字や絵からパンフレットに関連付けられている画像を推測することができ、所望の画像を表示させることができる。
【０００４】
また、上記の課題を解決するものとして、特許文献２には、ホワイトボードに、表示画面を有する貼付物が貼り付けられたときに、その表示画面の画像が変化する表示システムが記載されている。この表示システムでは、貼付物自体に予め画像が表示されているので、その画像から、変化後の画像を推測することができ、所望の画像を表示させることができる。
【先行技術文献】
【特許文献】
【０００５】
【特許文献１】特開２００７−２９２８９４号公報
【特許文献２】特開２０１０−１５６７９６号公報
【発明の概要】
【発明が解決しようとする課題】
【０００６】
上述したように、特許文献１に記載の表示システムでは、パンフレットを見れば、パンフレットに関連付けられている画像を推測することができる。しかしながら、文字や絵が記載されたパンフレットは、ディスプレイの表示画面に載置されたときに、表示画面上の占有面積が大きく、ディスプレイの表示画面において、ユーザに見えるように表示可能な情報量が制限されてしまう。
【０００７】
また、特許文献２に記載の表示システムでは、貼付物の変化前の画像を見れば、貼付物に関連付けられている画像を推測することができる。しかしながら、特許文献２に記載の表示システムは、金属製のホワイトボードに、磁石を有する貼付物を貼り付けるように構成されており、貼付物を大きくすることができず、その結果、貼付物の表示画面は小さくなってしまい、その表示画面に表示可能な情報量が制限されてしまう。
【０００８】
本発明は、このような課題を解決するためのものであり、設置物を見ればその設置物に関連付けられているファイルを推測することができ、かつ、設置物が設置されたときに開かれるファイルの情報量が制限され難い表示システムおよび表示プログラムを提供することを目的とする。
【課題を解決するための手段】
【０００９】
本発明は、表示画面を有する表示部と、１または複数のファイルを記憶し、ファイルに基づいて前記表示部を制御する制御部と、前記制御部に記憶されているいずれかのファイルと関連付けられている、前記表示画面に設置可能な設置物であって、文字等の画像を表示可能な文字等画像表示部を有する設置物とを含む表示システムであって、
前記制御部は、
１または複数のファイルを記憶するファイル記憶部と、
ファイルの種類に対応し、対応するファイルを開くアプリケーションを記憶するアプリケーション記憶部と、
前記表示画面に前記設置物が設置された場合に、その設置物に関連付けられているファイルを、そのファイルの種類に対応するアプリケーションによって開く動作を行う開動作部と、
前記文字等画像表示部に、前記設置物に関連付けられているファイルを示す文字等の画像を表示させる文字等画像表示制御部とを含むことを特徴とする表示システムである。
【００１０】
また本発明は、前記制御部は、複数のファイルを記憶しており、その複数のファイルの中には複数種類のファイルが含まれ、
前記設置物は、２種類以上のファイルと関連付けられることが可能であり、
前記開動作部は、
アプリケーションに対応する領域である動作領域を、前記表示画面に表示する領域表示部と、
前記表示画面の、前記動作領域が表示される部分に、前記設置物が設置されたか否かを判断する設置判断部と、
前記表示画面の前記動作領域が表示される部分に前記設置物が設置されたと前記設置判断部が判断した場合に、前記動作領域に対応するアプリケーションと、前記設置物と関連付けられているファイルとが対応しているか否かを判断する対応判断部と、
前記表示画面の前記動作領域が表示される部分に前記設置物が設置されたと前記設置判断部が判断した場合において、前記動作領域に対応するアプリケーションと前記設置物と関連付けられているファイルとが対応していると前記対応判断部が判断したときに、前記動作領域に対応するアプリケーションによって、前記設置物と関連付けられているファイルを開く動作を行う対応ファイル開動作部とを含むことを特徴とする。
【００１１】
また本発明は、前記領域表示部は、２つ以上のアプリケーションに対応する動作領域を、前記表示画面に表示することを特徴とする。
【００１２】
また本発明は、前記設置物は、関連付けられているファイルを他のファイルに変更可能であることを特徴とする。
【００１３】
また本発明は、前記開動作部は、前記表示画面に前記設置物が複数設置された場合に、各設置物に関連付けられているファイルを、各設置物の設置が行われた順番に開くことを特徴とする。
【００１４】
また本発明は、表示部と設置物とを含むコンピュータを、前記表示システムとして機能させることを特徴とする表示プログラムである。
【発明の効果】
【００１５】
本発明によれば、設置物に複雑な画像を表示させたり、実際に設置したりしなくても、文字等画像表示部に表示される文字等によって、設置物を見ればその設置物に関連付けられているファイルを推測することができる。また、設置物が設置されたときに開かれるファイルの情報量を制限され難くすることができる。
【００１６】
また本発明によれば、動作領域を制御することにより、１つの設置物に関連付けられている２種類以上のファイルのうち、開きたいファイルを選択することができる。
【００１７】
また本発明によれば、２つ以上の動作領域によって、２種類以上のファイルを同時に開くことができる。
【００１８】
また本発明によれば、設置物に関連付けるファイルを変更することで、１つの設置物を様々なファイルに対して使用することができる。
【００１９】
また本発明によれば、各設置物を設置した順番に、各設置物に関連付けられているファイルを開くことができる。
【００２０】
また本発明によれば、表示部と設置物とを含むコンピュータを、前記表示システムとして機能させることができる。
【図面の簡単な説明】
【００２１】
【図１】表示システム１の外観を示す模式図である。
【図２】表示システム１の構成の一部を示すブロック図である。
【図３】設置物１４の一例を示す図である。
【図４】表示画面１１１の一例を示す図である。
【図５】対応ファイル開閉動作部１３３４によるファイルの開閉動作を示す図である。
【図６】表示システム１の動作を示すフローチャートである。
【発明を実施するための形態】
【００２２】
以下に、本発明の実施形態の１つである表示システム１について説明する。図１は、表示システム１の外観を示す模式図である。表示システム１は、たとえば、縦１００ｃｍ、横１５０ｃｍ程度の矩形状の表示画面１１１を有する。表示システム１は、たとえば電子ホワイトボードとして用いられ、表示画面１１１に表示されるアイコンにタッチ操作が行われたときにそのアイコンに対応するウィンドウを表示画面１１１に表示したり、描画可能な領域にタッチ操作が行われたときにそのタッチ操作に対応する図形を表示画面１１１に表示したりする。
【００２３】
ここで、タッチ操作とは、表示画面１１１への接触が開始してから接触が終了するまでの、表示画面１１１に対する一連の操作である。たとえば、ユーザが、手指やタッチペンなどで表示画面１１１に接触し、接触箇所を動かさずに、手指やタッチペンなどを表示画面１１１から離す一連の操作を行うとき、この操作は表示画面１１１に対する点状の操作である。また、たとえば、ユーザが、手指やタッチペンなどで表示画面１１１に接触し、接触箇所を移動させ、手指やタッチペンなどを表示画面１１１から離す一連の操作を行うとき、この操作は表示画面１１１に対するスライド操作である。
【００２４】
上記のような電子ホワイトボードとして用いることができる公知のシステムとしては、従来公知のＰＣと、タッチパネル一体型ディスプレイＰＮ−Ｌ６００Ｂ（シャープ株式会社製）などの表示装置とから構成されるシステムを挙げることができる。本実施形態としては、このようなシステムに、後述する各部１３１〜１３４の機能を発揮させるためのプログラムである表示プログラムを記憶させたものを用いることができる。なお、本発明の他の実施形態としては、上記表示装置に、後述する各部１３１〜１３４の機能をそれぞれ発揮するＩＣ（Integrated Circuit）チップを設けてもよい。また、本発明の他の実施形態としては、表示システム１は、表示画面１１１が鉛直方向上向きとなるように水平に設けられる電子会議机などであってもよい。また、たとえば、冷蔵庫などの電化製品に表示画面を設けて、表示システム１としてもよい。
【００２５】
図２は、表示システム１の構成の一部を示すブロック図である。表示システム１は、図１および図２に示す表示部１１およびタッチパネル部１２と、図２に示す制御部１３と、図１に示す複数の設置物１４およびサブボード１５とを備える。
【００２６】
表示部１１は、たとえば、液晶ディスプレイ、ＥＬ（ElectroLuminescence）ディスプレイ、プラズマディスプレイなどである。表示部１１は、制御部１３によって制御されることで、表示画面１１１に画像を表示する。なお、本実施形態では、表示部１１は、音を出力するためのスピーカを備えているものとする。また、本発明の他の実施形態としては、表示部１１が、スクリーンを表示画面１１１として、その表示画面１１１に画像を投影するプロジェクタであってもよい。
【００２７】
タッチパネル部１２は、投影型静電容量方式タッチパネル、抵抗膜方式タッチパネル、赤外線遮断検出方式タッチパネルなどから構成される。タッチパネル部１２は、表示画面１１１に対するタッチ操作が行われると、そのタッチ操作が行われた位置に関する情報を取得し、制御部１３へ出力する。なお、本発明の他の実施形態としては、タッチパネル部１２が設けられなくてもよい。
【００２８】
制御部１３は、たとえばＰＣや表示部１１内に設けられる制御装置であり、ＣＰＵ（
Central Processing Unit）などの制御演算回路と、ＤＤＲ  ＳＤＲＡＭ（Double Data 
Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk 
Drive）などの不揮発性メモリを含む記憶回路と、他の機器との間で通信を行うための通信回路とを含む。制御部１３の記憶回路には、画像ファイル、動画ファイル、音楽ファイルなどの複数種類のファイルが記憶されている。
【００２９】
また、制御部１３の記憶回路には、本発明に係る表示プログラムが記憶され、これによって、制御部１３は、後述する、ファイル記憶部１３１、アプリケーション記憶部１３２、開閉動作部１３３、および文字等画像表示制御部１３４の機能を発揮する。
【００３０】
設置物１４は、ユーザによって、表示画面１１１の任意の箇所に、任意に設置される物であり、本実施形態では、表示画面１１１に貼付可能に構成されている。たとえば、設置物１４は、吸盤によって表示画面１１１に貼付可能になっていてもよいし、粘着シートによって表示画面１１１に貼付可能になっていてもよい。また、貼付可能な構成以外にも、表示部１１の鉛直方向上部にフックを引っ掛けて表示画面１１１上に設置されるように構成されていてもよいし、表示画面１１１にピンを刺すことで表示画面１１１上に設置されるように構成されていてもよい。なお、設置物１４は、非使用状態では、サブボード１５に貼り付けられる。
【００３１】
設置物１４は、ユーザによって、制御部１３に記憶されているいずれかのファイルと関連付けられる。いずれの設置物１４といずれのファイルとが関連付けられているかは、制御部１３に記憶される。関連付けの方法は様々であり、どのような方法であってもよい。
【００３２】
たとえば、関連付けの方法としては、各設置物１４の形状や色などの外観をそれぞれ異ならせておき、設置物１４の外観とファイルとを関連付けてもよい。この場合、制御部１３に各設置物１４の外観が予め記憶されており、表示システム１には、画像を撮影し、撮影した画像を制御部１３に入力する撮像部が設けられる。この撮像部による撮影画像中に、表示画面１１１に表示され、ファイルに対応するコード画像（たとえば、バーコードやＱＲコード（登録商標））と、そのコード画像に隣接する設置物１４とが映っているときに、制御部１３は、その設置物１４と、そのコード画像に対応するファイルとを関連付けて記憶する。なお、画像ファイルの場合は、コード画像ではなく、画像ファイルそのものであってもよい。
【００３３】
また、たとえば、関連付けの方法としては、各設置物１４にＩＤ情報を記憶するＩＤ情報記憶部を設け、設置物のＩＤ情報とファイルとを関連付けてもよい。この場合、制御部１３に各設置物１４のＩＤ情報が予め記憶されており、各設置物１４には、画像を撮影する撮像部が設けられる。表示画面１１１に表示され、ファイルに対応するコード画像が、設置物１４の撮像部によって撮影され、その撮影画像または撮影画像中のコード画像が示す情報と、その設置物１４のＩＤ情報とが、制御部１３に入力されたときに、制御部１３は、その設置物１４と、そのコード画像に対応するファイルとを関連付けて記憶する。
【００３４】
なお、上記の２つの例では、撮像部によって、設置物１４とファイルとを関連付けているけれども、ユーザが、表示システム１に設けられるタッチパネル部１２などの入力部を介して、ファイルと関連付けたいＩＤ情報を入力することで、撮像部を用いずに、ファイルと設置物１４とを関連付けるようにしてもよい。
【００３５】
本実施形態では、１つの設置物１４に対して、複数種類のファイルを関連付けることが可能である。複数種類のファイルとは、たとえば、画像ファイルや、音楽ファイル、動画ファイルなどである。同じ種類のファイルについては、１つのファイルのみを関連付けることができ、既に１つのファイルと関連付けられている状態で、そのファイルと同じ種類の他のファイルとの関連付けを行うと、関連付けられるファイルは、その他のファイルに変更される。設置物１４に関連付けられているファイルは、ユーザが、表示システム１に設けられるタッチパネル部１２などの入力部を介して、その関連付けを解消することができる。また、後述する消去動作領域によっても、関連付けを解消することができる。なお、本発明の他の実施形態としては、１つの設置物１４に対して、同じ種類のファイルを２つ以上関連付けることが可能に構成されていてもよい。この場合、その２つ以上の同じ種類のファイルのうちの１つを選択するためのボタンなどが、設置物１４に設けられる。
【００３６】
設置物１４は、文字等の画像を表示可能な液晶パネルなどの文字等画像表示部を有しており、後述する文字表示制御部１３４によって、その文字等の画像が制御される。ここでいう文字等の画像とは、ひらがな、カタカナ、漢字、アルファベットなどの言語記号だけではなく、算術記号などの符号や、それらと同程度の単純な画像を含む。文字等の画像は、静止画であっても動画であってもよい。
【００３７】
図２に示すように、制御部１３は、ファイル記憶部１３１、アプリケーション記憶部１３２、開閉動作部１３３、および文字等画像表示制御部１３４として機能する。
【００３８】
文字等画像表示制御部１３４は、設置物１４の文字等画像表示部に、その設置物１４と関連付けられているファイルを示す文字等の画像を表示させる。制御の方法は様々であり、設置物１４ファイルと関連付けが行われたときや、表示システム１に電源が投入されたときに、制御部１３の通信回路によって、関連付けられたファイルを示す文字、たとえば、ファイル名を、そのファイルと関連付けられた設置物１４に送信し、文字を受信した設置物１４は、その文字を記憶し、表示システム１の電源投入中に文字表示部にその文字を表示し続けたり、所定時間ごとに文字等画像表示部にその文字を表示したり、設置物１４に設けられる図示しないスイッチが押下されたときに文字等画像表示部にその文字を表示したりする。
【００３９】
図３に、設置物１４の一例を示す。図３に示す設置物１４は、円盤状であり、円盤の略中央部に文字等画像表示部が設けられている。また、文字等画像表示部に対して、図３の紙面において上方に、設置物１４のＩＤ情報が印刷されている。図３に示す例では、ＩＤ情報が「Ａ」の設置物１４に、「○○○.ｊｐｇ」というファイル名の画像ファイルと、「△△△.ｍｐ３」というファイル名の音楽ファイルと、「×××.ｍｐｇ」というファイル名の動画ファイルとが関連付けられている。なお、設置物１４は、円盤状に限られず、たとえば、矩形板状であってもよい。
【００４０】
ファイル記憶部１３１は、１または複数のファイルを記憶している。本実施形態では、画像ファイルや、音楽ファイル、動画ファイルなどの複数種類のファイルを記憶している。
【００４１】
アプリケーション記憶部１３２は、ファイルを開くためのアプリケーションを記憶している。アプリケーション記憶部１３２は、ファイルの種類に対して、いずれのアプリケーションが対応するかを記憶している。たとえば、アプリケーション記憶部１３２は、音楽ファイルに対して音楽再生アプリケーションを対応付け、動画ファイルに対して動画再生アプリケーションを対応付ける。アプリケーション記憶部１３２は、１つのファイルの種類に対して複数のアプリケーションを対応付けてもよく、たとえば、画像ファイルに対して、画像表示アプリケーションと、画像編集アプリケーションとを対応付ける。
【００４２】
本実施形態において、アプリケーション記憶部１３２が記憶するアプリケーションは、ファイルを開くためのアプリケーションのみではなく、様々なアプリケーションを含む。たとえば、アプリケーション記憶部１３２は、設置物１４を充電するための充電アプリケーションや、設置物１４とファイルとの関連付けを解消する消去アプリケーションなどを記憶する。
【００４３】
開閉動作部１３３は、表示画面１１１に設置物１４が設置された場合に、その設置物１４に関連付けられているファイルを、そのファイルの種類に対応するアプリケーションによって開く動作を行ったり、ファイルを閉じる動作を行ったりする。本実施形態では、開閉動作部１３３は、領域表示部１３３１と、設置判断部１３３２と、対応判断部１３３３と、対応ファイル開閉動作部１３３４とを含む。
【００４４】
領域表示部１３３１は、ユーザの指示により、アプリケーションに対応する領域である動作領域を設定し、設定した動作領域を表示画面１１１に表示する。図４に、表示画面１１１の一例を示す。図４（ａ）では、音楽再生アプリケーションに対応する音楽再生動作領域Ａ１が表示されている。具体的には、音楽再生動作領域Ａ１の外縁を示す枠線と、その枠線内の、音楽再生アプリケーションに対応する動作領域であることを示すための「音楽再生」という文字とが表示されている。図４（ｂ）に示すように、「音楽再生」の文字の代わりに、音楽再生アプリケーションに対応する動作領域であることを示す音符などの記号を表示してもよい。
【００４５】
図４（ｃ）に示すように、領域表示部１３３１は、２つ以上のアプリケーションに対応する動作領域Ａ１，Ａ２を、表示画面１１１に表示することが可能である。２つ以上の動作領域を表示する場合、図４（ｄ）に示すように、一部が重なるようにしてもよいし、図４（ｅ）に示すように、全部が重なるようにしてもよい。一部または全部が重なるときには、図４（ｄ）および図４（ｅ）に示すように、動作領域を示すための文字や記号は、重ならないように表示される。
【００４６】
さらに、図４（ｆ）に示すように、動作領域の大きさや形状は、ユーザによって任意に設定可能である。たとえば、タッチパネル部１２を介してユーザの手書き入力によって、任意の動作領域Ａ３を表示画面１１１に表示させることができる。
【００４７】
領域表示部１３３１は、音楽再生アプリケーションに対応する動作領域や、動画再生アプリケーションに対応する動作領域を表示するときには、動作領域内に、再生ボタンや、巻き戻しボタン、早送りボタンなどを表示してもよい。
【００４８】
設置判断部１３３２は、表示画面１１１の、動作領域が表示されている部分に、設置物１４が設置されたか否かを領域表示部１３３１からの情報に基づいて判断する。判断方法は様々であり、どのような方法であってもよい。
【００４９】
たとえば、設置判断部１３３２は、表示システム１の撮像部によって、表示画面１１１全体を撮影し、撮影画像を解析することによって、いずれの設置物１４が、表示画面１１１のいずれの部分に設置されたかを判断する。そして、領域表示部１３３１が動作領域を表示させている部分についての情報から、動作領域に設置物１４が設置されたか否かを判断する。
【００５０】
また、たとえば、設置判断部１３３２は、設置物１４の超音波送信部によって送信されるＩＤ情報を、表示システム１の３つの超音波受信部によって受信し、受信時間の差から設置箇所を算出し、いずれの設置物１４が、表示画面１１１のいずれの部分に設置されたかを判断する。そして、領域表示部１３３１が動作領域を表示させている部分についての情報から、動作領域に設置物１４が設置されたか否かを判断する。
【００５１】
また、たとえば、設置判断部１３３２は、設置物１４の撮像部によって、表示画面１１１から離れた位置にある所定の基準物体を撮影させ、設置物１４からＩＤ情報および撮影画像を受信し、撮影画像を解析することによって、いずれの設置物１４が、表示画面１１１のいずれの部分に設置されたかを判断する。そして、領域表示部１３３１が動作領域を表示させている部分についての情報から、動作領域に設置物１４が設置されたか否かを判断する。
【００５２】
また、たとえば、設置判断部１３３２は、表示システム１の３つの超音波送信部によって送信されるそれぞれ異なる超音波を、設置物１４の超音波受信部によって受信させ、設置物１４からＩＤ情報および受信時間の差を受信し、受信時間の差から設置箇所を算出し、いずれの設置物１４が、表示画面１１１のいずれの部分に設置されたかを判断する。そして、領域表示部１３３１が動作領域を表示させている部分についての情報から、動作領域に設置物１４が設置されたか否かを判断する。
【００５３】
設置判断部１３３２は、このような判断を、設置物１４が移動したときや、領域表示部１３３１による動作領域が変更されたときに行う。設置判断部１３３２は、撮像部や超音波受信部を用いて算出された設置箇所が変化したときに設置物１４が移動したと判断してもよいし、設置物１４に設けられる加速度センサによって計測される加速度が変化したときに設置物１４が移動したと判断してもよいし、設置物１４に設けられる、表示画面１１１に設置されるとオンになるように構成されるスイッチがオンまたはオフとなったときに設置物１４が移動したと判断してもよい。
【００５４】
対応判断部１３３３は、表示画面１１１の動作領域が表示される部分に設置物１４が設置されたと設置判断部１３３２が判断した場合に、その動作領域に対応するアプリケーションと、設置された設置物１４に関連付けられているファイルとが対応しているか否かを、アプリケーション記憶部１３２からの情報に基づいて判断する。なお、動作領域に対応するアプリケーションが充電アプリケーションや消去アプリケーションである場合、対応判断部１３３３は、アプリケーションとファイルとが対応しているとみなす。
【００５５】
対応ファイル開閉動作部１３３４は、表示画面１１１の動作領域が表示される部分に設置物１４が設置されたと設置判断部１３３２が判断した場合において、その動作領域に対応するアプリケーションとその設置物１４に関連付けられているファイルとが対応していると対応判断部１３３３が判断したときに、その動作領域に対応するアプリケーションによって、その設置物１４に関連付けられているファイルを開く動作を行う。また、対応ファイル開閉動作部１３３４は、表示画面１１１の動作領域が表示される部分以外に設置物１４が設置されたと設置判断部１３３２が判断した場合において、その動作領域に対応するアプリケーションによって既にその設置物１４に関連付けられているファイルが開かれていたときに、その設置物１４に関連付けられているファイルを閉じる動作を行う。
【００５６】
図５に、対応ファイル開閉動作部１３３４によるファイルの開閉動作を示す。図５（ａ）は、対応ファイル開閉動作部１３３４によってファイルが開かれるときの様子を示しており、図５（ｂ）は、対応ファイル開閉動作部１３３４によってファイルが閉じられるときの様子を示している。図５の例では、設置物１４に関連付けられているファイルは画像ファイルであり、表示画面１１１に画像表示アプリケーションに対応する画像表示動作領域Ａ４が表示されている。この画像表示動作領域Ａ４に、画像ファイルと関連付けられている設置物１４が設置されると、図５（ａ）のように、表示画面１１１に画像が表示され、画像が表示されている状態で、この設置物１４が表示画面１１１から取り除かれると、図５（ｂ）のように、表示画面１１１に表示されていた画像が消去される。
【００５７】
本実施形態では、対応ファイル開閉動作部１３３４は、表示画面１１１に設置物１４が複数設置された場合に、各設置物１４に関連付けられているファイルを、各設置物１４の設置が行われた順番に開く。また本実施形態では、設置物１４が設置された動作領域に対応するアプリケーションが充電アプリケーションや消去アプリケーションである場合、対応ファイル開閉動作部１３３４は、ファイルを開く代わりに、その設置物１４に電波を送信して設置物１４を充電したり、その設置物１４とファイルとの関連付けを解消したりする。なお、本発明の他の実施形態としては、表示システム１の電源投入後に、すべての設置物１４がサブボード１５に設置された場合、対応ファイル開閉動作部１３３４が、ファイルを開く代わりに、表示システム１の電源を切断するように構成してもよい。
【００５８】
このように構成される表示システム１の動作を、図６のフローチャートで示す。ステップＳ１では、制御部１３は、設置物１４が移動したか、または、動作領域が変更されか否かを判断する。設置物１４の移動や動作領域の変更があった場合、ステップＳ２へ進む。設置物１４の移動や動作領域の変更がない場合、制御部１３は、新たにファイルを開いたり、既に開いているファイルを閉じたりはせず、ステップＳ１へ戻り、設置物１４の移動や動作領域の変更があるまで待機する。
【００５９】
ステップＳ２では、制御部１３は、設置物１４が、いずれかの動作領域の外であるか否かを判断する。設置物１４がいずれかの動作領域の外である場合、ステップＳ３へ進み、設置物１４がすべての動作領域の内である場合、ステップＳ６へ進む。
【００６０】
ステップＳ３では、制御部１３は、設置物１４が設置されていない動作領域に対応するアプリケーションによって、その設置物１４に関連付けられているファイルが、設置物１４の移動や動作領域の変更の直前に既に開かれていたか否かを判断する。ファイルが開かれていた場合、ステップＳ４へ進み、ファイルが開かれていなかった場合、ステップＳ５へ進む。
【００６１】
ステップＳ４では、制御部１３は、設置物１４に関連付けられているファイルのうち、その設置物１４が設置されていない動作領域に対応するアプリケーションによって、その設置物１４の移動や動作領域の変更の直前に既に開かれていたファイルを閉じる動作を行う。
【００６２】
ステップＳ５では、制御部１３は、設置物１４が、いずれかの動作領域の内であるか否かを判断する。設置物１４がいずれかの動作領域の内である場合、ステップＳ６へ進み、設置物１４がすべての動作領域の外である場合、ステップＳ１へ戻り、設置物１４の移動や動作領域の変更があるまで待機する。
【００６３】
ステップＳ６では、制御部１３は、設置物１４の設置箇所および設置箇所を含む動作領域に対応するアプリケーションを確認する。ステップＳ７では、制御部１３は、設置物１４に関連付けられているファイルと、設置物１４の設置箇所を含む動作領域に対応するアプリケーションとが対応しているか否かを判断する。対応している場合、ステップＳ８へ進み、対応していない場合、ステップＳ１へ戻り、設置物１４の移動や動作領域の変更があるまで待機する。
【００６４】
ステップＳ８では、制御部１３は、設置物１４に関連付けられているファイルを、設置物１４の設置箇所を含む動作領域に対応するアプリケーションによって開く動作を行う。ファイルを開いた後は、ステップＳ１へ戻り、設置物１４の移動や動作領域の変更があるまで待機する。
【００６５】
以上のような表示システム１によれば、設置物１４に複雑な画像を表示させたり、実際に表示画面１１１に設置したりしなくても、設置物１４の文字等画像表示部に表示される文字等の画像によって、設置物１４を見ればその設置物１４に関連付けられているファイルを推測することができる。また、設置物１４に複雑な画像を表示させる必要がないので、設置物１４を大きく構成する必要がなく、その結果、設置物１４が設置されたときに開かれるファイルの情報量を制限され難くすることができる。
【００６６】
また、表示システム１によれば、動作領域を制御することにより、１つの設置物１４に関連付けられている２種類以上のファイルのうち、開きたいファイルを選択することができる。なお、本発明の他の実施形態としては、初期設定において、特定のアプリケーションに対応する動作領域を、表示画面１１１全体に広がる非表示の動作領域としてもよい。ここで、動作領域が非表示であるとは、表示画面１１１に、動作領域の外縁を示す枠線、および、動作領域に対応するアプリケーションを示す文字などが表示されないことをいう。この他の実施形態の場合、特定のアプリケーションに対応する動作領域をユーザが設定しなくても、設置物１４を表示画面１１１のいずれかの部分に設置することにより、設置物１４に関連付けられている、特定のアプリケーションに対応する特定のファイルを開くことができる。また、この他の実施形態の場合、特定のアプリケーション以外のアプリケーションに対応する動作領域は表示するようにし、その表示される動作領域がユーザによって設定され、その表示される動作領域内に設置物１４が設置されたときには、設置物１４に関連付けられているファイルのうち、その表示される動作領域に対応するファイルのみが開かれ、特定のファイルが開かれないようにしてもよい。
【００６７】
また、表示システム１によれば、２つ以上の動作領域によって、２種類以上のファイルを同時に開くことができる。
【００６８】
また、表示システム１によれば、設置物１４に関連付けるファイルを変更することで、１つの設置物１４を様々なファイルに対して使用することができる。
【００６９】
また、表示システム１によれば、各設置物１４を設置した順番に、各設置物１４に関連付けられているファイルを開くことができる。
【００７０】
上記表示システム１の制御部１３に記憶される表示プログラムは、表示部および設置物を備えるコンピュータを表示システム１として機能させるプログラムである。この表示プログラムは、従来公知の、コンピュータ読み取り可能な記録媒体に記録できる。
【００７１】
上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００７２】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００７３】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００７４】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto 
Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００７５】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００７６】
１  表示システム
１１  表示部
１２  タッチパネル部
１３  制御部
１１１  表示画面
１３１  ファイル記憶部
１３２  アプリケーション記憶部
１３３  開閉動作部
１３４  文字等画像表示制御部
１３３１  領域表示部
１３３２  設置判断部
１３３３  対応判断部
１３３４  対応ファイル開閉動作部
【図１】
0005912810.tif 000002
【図２】
0005912810.tif 000003
【図３】
0005912810.tif 000004
【図４】
0005912810.tif 000005
【図５】
0005912810.tif 000006
【図６】
0005912810.tif 000007